(57)【要約】【課題】本発明は、プリンタの印刷において、遠隔地における印刷結果の確認、ならびに正確な印刷結果の確認を行なう汎用性の高い手段を提供することを課題とする。【解決手段】本発明は、印刷結果イメージをプリンタ上で作成し、このイメージをプリンタ内に設けたＷｅｂサーバで提供することを特徴とする。前記印刷結果イメージは、インク切れ、用紙ジャム等の印刷時の障害を反映させることを特徴とする。前記印刷結果イメージの作成は、用紙への印刷処理時に作成することを特徴とする。【選択図】図１
2004334668.tif 000002
【特許請求の範囲】
【請求項１】
印刷結果イメージをプリンタ上で作成し、このイメージをプリンタ内に設けたＷｅｂサーバで提供することを特徴とするプリンタの印刷結果確認方式。
【請求項２】
前記印刷結果イメージは、インク切れ、用紙ジャム等の印刷時の障害を反映したものであることを特徴とする請求項１に記載のプリンタの印刷結果確認方式。
【請求項３】
前記印刷結果イメージは、用紙への印刷処理と同時に作成されることを特徴とする請求項２に記載のプリンタの印刷結果確認方式。
【請求項４】
前記Ｗｅｂサーバで提供するページの構成が、ジョブ、ページの階層構造をとることを特徴とする請求項３に記載のプリンタの印刷結果確認方式。
【発明の詳細な説明】
【０００１】
【発明の属する技術分野】
本発明は、プリンタの印刷結果確認方式に関する。
【０００２】
【従来の技術】
従来、印刷結果の確認は以下の方法で行なわれている。
（１）プレビューによる事前確認。
（２）実際の印刷物による確認。
【０００３】
図５を参照して、従来のプリンタの印刷結果確認について説明する。ＰＣ４０２から印刷を行なうと、プリンタ４０１が印刷処理を行ない、印刷物４０３を印刷する。この際、印刷する直前に、アプリケーション４０４上のプレビュー４０５で印刷結果予測を確認することができる。また、最終的な印刷結果の確認は、印刷物４０３を見て行なう必要がある。
【０００４】
通常、プレビュー４０５はＰＣ４０２上で作成される場合が多いが、プリンタにおいて擬似印刷処理を行ない、擬似印刷結果データおよび擬似印刷画像データを作成させる場合もある（例えば、特許文献１参照。）。
【特許文献１】
特開２００１−２８２４８９号公報
【０００５】
【発明が解決しようとする課題】
従来のプリンタの印刷結果確認方式では以下の問題が発生する。
（１）プリンタが遠隔地にある場合、実際の印刷物での確認は非効率的である。
（２）プレビューで事前に確認する場合、実際の印刷結果と異なる場合がある。
（３）（２）において、実際の印刷時に発生する用紙ジャム、インク切れなどの障害状況を正確に確認できない。
（４）（２）において、特許文献１に記載の方法であっても、あくまで事前の印刷結果予想であるので実際の印刷結果と異なる場合がある。
（５）（２）において、特許文献１に記載の方法は、印刷結果予想データの受信においてプリンタドライバを使用するため、この方式に対応したプリンタドライバが必要となり汎用性が低い。
【０００６】
本発明の目的は、上記の問題を解決するプリンタの印刷結果確認方式を提供することにある。
【０００７】
【課題を解決するための手段】
上記目的は、印刷結果イメージをプリンタ上で作成し、このイメージをプリンタ内に設けたＷｅｂサーバで提供することによって達成される。たま、上記目的は、前記印刷結果イメージに、インク切れ、用紙ジャム等の印刷時の障害を反映させることによって達成される。さらには上記目的は、前記印刷結果イメージの作成を、用紙への印刷処理時に行うことによって達成される。
【０００８】
【発明の実施の形態】
本発明の一実施例を、図１〜図４を参照して説明する。
【０００９】
図１は、プリンタの印刷結果確認方式の一例となるプリンタシステムの構成を示す。図１において１０１はプリンタ、１０２はＰＣ、１０３は印刷結果、１０４はコントローラ、１０５はエンジン、１０６は操作パネル、１０７はＨＤＤ（Ｗｅｂデータ＆印刷結果イメージ）、１０８は印刷結果制御部、１０９はエンジン制御部、１１０はイメージ編集部、１１１はネットワーク制御部、１１２はＷｅｂサーバ、１１３はＷｅｂブラウザである。
【００１０】
ＰＣ１０２は、プリンタ１０１とネットワークを介して接続している。プリンタ１０１内部には、コントローラ１０４、エンジン１０５、操作パネル１０６、ＨＤＤ（Ｗｅｂデータ＆印刷結果イメージ）１０７が存在する。コントローラ１０４内部に、印刷結果制御部１０８、エンジン制御部１０９、イメージ編集部１１０、ネットワーク制御部１１１、Ｗｅｂサーバ１１２が存在する。
【００１１】
印刷時、イメージ編集部１１０ではイメージを作成する。エンジン制御部１０９では、作成したイメージを元にエンジン１０５を制御して印刷を行なう。このとき、印刷結果制御部１０８では、作成したイメージを元に、印刷結果イメージを作成し、ＨＤＤ（Ｗｅｂデータ＆印刷結果イメージ）１０７に保存する。このとき、印刷結果制御部１０８では、エンジン制御部１０９より、実際の印字状況（用紙の状態、インクの状態等）を取得し、これを印刷結果イメージに反映させる。
【００１２】
Ｗｅｂサーバ１１２は、ＨＤＤ（Ｗｅｂデータ＆印刷結果イメージ）１０７に保持されている印刷結果イメージを、公開する。Ｗｅｂブラウザ１１３は、プリンタ１０１内のＷｅｂサーバ１１２にアクセスし、印刷結果のイメージを取得できる。
【００１３】
図２は印刷結果イメージ（正常終了時）をＷｅｂブラウザ上での表示例を模式的に表したものである。２０１はブラウザ、２０２は印刷結果イメージである。印刷結果イメージ２０２は、印刷が正常に終了した様子をあらわしている。
【００１４】
図３は印刷結果イメージ（障害発生時）をＷｅｂブラウザ上での表示例を模式的にあらわしたものである。３０１はブラウザ、３０２は印刷結果イメージである。印刷結果イメージ３０２は、障害（インク切れ）が発生し、印刷が途中で終了した様子をあらわしている。
【００１５】
図４はＷｅｂサーバで公開するページの構成を模式的にあらわしたものである。４０１は公開ページのトップディレクトリ、４０２はジョブ一覧ＨＴＭＬファイル、４０３はジョブ一覧情報ＸＭＬファイル、４０４はジョブ１のディレクトリ、４０５はジョブ２のディレクトリ、４０６はジョブｎのディレクトリ、４０７はジョブ１用ＨＴＭＬファイル、４０８はジョブ１の文書情報ＸＭＬファイル、４０９はジョブ１のページ１用ディレクトリ、４１０はジョブ１のページ２用ディレクトリ、４１１はジョブ１のページｍ用ディレクトリ、４１２はジョブ１のページ１用ＨＴＭＬファイル、４１３はジョブ１のページ１情報ＨＴＭＬファイル、４１４はジョブ１のページ１のビットマップファイルである。
【００１６】
公開ページのトップディレクトリ４０１は、ジョブ一覧ＨＴＭＬファイル４０２、ジョブ一覧情報ＸＭＬファイル４０３、およびそれぞれのジョブ用ディレクトリ４０４、４０５、４０６で構成される。
【００１７】
ジョブ１用ディレクトリ４０４は、ジョブ１用ＨＴＭＬファイル４０７、ジョブ１の文書情報ＸＭＬファイル４０８、ジョブ１のページ１用ディレクトリ４０９、ジョブ１のページ２用ディレクトリ４１０、ジョブ１のページｍ用ディレクトリ４１１より構成される。
【００１８】
ジョブ１のページ１用ディレクトリ４０９は、ジョブ１のページ１用ＨＴＭＬファイル４１２、ジョブ１のページ１情報ＸＭＬファイル４１３、ジョブ１のページ１のビットマップファイル４１４より構成される。
【００１９】
本実施例では、ジョブ、ページの階層構造をとっている。このような構造をとることにより、ジョブ毎、ページ毎の分離性、独立性が高まり、変更・修正や将来の機能拡張に柔軟に対応しやすくなる。
【００２０】
【発明の効果】
以上のように、本発明によれば、以下が効果を得ることができる。
遠隔地における印刷結果の確認。
正確な印刷結果の確認。
印刷時の障害状況の確認。
汎用性の高い印刷結果の確認。
【図面の簡単な説明】
【図１】本発明の一実施例おけるプリンタシステムの構成図。
【図２】本発明の一実施例おけるＷｅｂブラウザ上での表示例（正常終了時）を示す図。
【図３】本発明の一実施例おけるＷｅｂブラウザ上での表示例（障害発生時）を記す図。
【図４】本発明の一実施例おけるＷｅｂサーバで公開するページの構成の模式図。
【図５】従来のプリンタの印刷結果確認方式を示す図。
【符号の説明】
１０１…プリンタ、１０２…ＰＣ、１０３…印刷結果、１０４…コントローラ、１０５…エンジン、１０６…操作パネル、１０７…ＨＤＤ（Ｗｅｂデータ＆印刷結果イメージ）、１０８…印刷結果制御部、１０９…エンジン制御部、１１０…イメージ編集部、１１１…ネットワーク制御部、１１２…Ｗｅｂサーバ、１１３…Ｗｅｂブラウザ。
【図１】
2004334668.tif 000003
【図２】
2004334668.tif 000004
【図３】
2004334668.tif 000005
【図４】
2004334668.tif 000006
【図５】
2004334668.tif 000007